(57)【特許請求の範囲】
【請求項１】
被写体を撮像して画像データを取得する撮像手段と、
文字情報を入力するための文字情報入力手段と、
前記撮像手段で撮像された画像データに、前記文字情報入力手段から入力される文字情報を重ねて表示可能な表示手段と、
前記表示手段に重ねて表示された前記画像データと前記文字情報との分離を指示する表示分離指示の入力を受け付ける表示分離指示手段と、
前記画像データと前記文字情報とを重ねて前記表示手段に表示すべく制御するとともに、
前記表示分離指示手段により表示分離指示が入力された場合は、前記表示手段に重ねて表示されている前記画像データと前記文字情報とを分離して当該表示手段に表示すべく制御する表示制御手段と、
記憶手段と、
前記画像データと当該画像データに対応する前記文字情報とを、夫々画像データファイル、添付データファイルとして前記記憶手段に対応付けて格納する記憶制御手段と、
を備えたことを特徴とする画像入力装置。
【請求項２】
印字する場合に、前記表示手段に重ねて表示されている前記画像データと文字情報とを分離してプリンタに送出する印刷制御手段を更に備えたことを特徴とする請求項１に記載の画像入力装置。
【請求項３】
前記文字情報入力手段は、手書き文字を入力するための手書き入力手段であることを特徴とする請求項１に記載の画像入力装置。
【請求項４】
音声データを入力するための音声データ入力手段を更に備え、
前記文字情報入力手段は、前記音声データ入力手段で入力された音声データを文字情報に変換する音声・文字変換手段であることを特徴とする請求項１に記載の画像入力装置。
【請求項５】
前記記憶制御手段は、前記画像データファイル及び前記添付データファイルの格納に際し、当該画像データファイルのファイル名と添付データファイルのファイル名とを、管理ファイルに対応付けて格納することを特徴とする請求項１〜４の何れか一項に記載の画像入力装置。
【発明の詳細な説明】
【０００１】
【発明の属する技術分野】
この発明は、画像入力装置に関し、詳細には、表示部を備えたデジタルカメラ等の画像入力装置に関する。
【０００２】
【従来の技術】
近時、ペンによる手書き入力が可能な画像入力装置が使用されており、ディスプレイに表示した画像データの上に手書き入力する技術が実現されている。例えば、例えば、特開平７−１３４７６４号公報に記載された画像入力装置は、手書き入力コンピュータに接続手段を介して画像データを転送できるデジタルカメラを筐体に内蔵または固定し、デジタルカメラに格納されている画像データを手書き入力コンピュータのメモリに格納する手段を備え、デジタルカメラのシャッターを押して得られる画面データを手書き入力コンピュータのディスプレイに画像を表示する技術を開示している。
【０００３】
【発明が解決しようとする課題】
しかしながら、従来技術においては、画像データの上に手書き入力された手書き文字が重ねて表示され、また、印刷する場合にも画像データの上に手書き文字が重なった状態で印刷されるため、利用者は見づらいという問題がある。
【０００４】
本発明は、上記課題に鑑みてなされてものであり、撮影した画像データと文字を表示・印刷する場合に、利用者が見やすい表示・印刷をすることが可能な画像入力装置を提供することを目的とする。
【０００５】
【課題を解決するための手段】
上述した課題を解決するために、請求項１に係る発明は、被写体を撮像して画像データを取得する撮像手段と、文字情報を入力するための文字情報入力手段と、前記撮像手段で撮像された画像データに、前記文字情報入力手段から入力される文字情報を重ねて表示可能な表示手段と、前記表示手段に重ねて表示された前記画像データと前記文字情報との分離を指示する表示分離指示の入力を受け付ける表示分離指示手段と、前記画像データと前記文字情報とを重ねて前記表示手段に表示すべく制御するとともに、前記表示分離指示手段により表示分離指示が入力された場合は、前記表示手段に重ねて表示されている前記画像データと前記文字情報とを分離して当該表示手段に表示すべく制御する表示制御手段と、記憶手段と、前記画像データと当該画像データに対応する前記文字情報とを、夫々画像データファイル、添付データファイルとして前記記憶手段に対応付けて格納する記憶制御手段と、を備えたものである。
【０００６】
また、請求項２に係る発明は、請求項１に係る発明において、印字する場合に、前記表示手段に重ねて表示されている前記画像データと文字情報とを分離してプリンタに送出する印刷制御手段を更に備えたものである。
【０００７】
また、請求項３に係る発明は、請求項１に係る発明において、前記文字情報入力手段は、手書き文字を入力するための手書き入力手段であることを特徴としている。
【０００８】
また、請求項４に係る発明は、請求項１に係る発明において、音声データを入力するための音声データ入力手段を更に備え、前記文字情報入力手段は、前記音声データ入力手段で入力された音声データを文字情報に変換する音声・文字変換手段であることを特徴としている。
【０００９】
また、請求項５に係る発明は、請求項１〜４の何れか一項に係る発明において、前記記憶制御手段は、前記画像データファイル及び前記添付データファイルの格納に際し、当該画像データファイルのファイル名と添付データファイルのファイル名とを、管理ファイルに対応付けて格納することを特徴としている。
【００１１】
【発明の実施の形態】
以下に添付図面を参照して、この発明に係る好適な実施の形態を詳細に説明する。
【００１２】
図１は、デジタルカメラの構成を示すブロック図である。同図において、１００は、デジタルカメラを示しており、このデジタルカメラ１００は、被写体を撮像して画像データを取得し、また、デジタルカメラの各部を制御するカメラ処理部１０１と、画像データや文字情報等を格納する記憶部１０２と、画像データや文字情報等を表示する表示部１０３と、手書き文字を入力するための手書き入力部１０４と、文字情報を入力するための文字入力部１０５と、音声データを入力するための音声入力部１０６と、音声入力部１０６から入力される音声データを音声認識して音声データの内容を示す音声変換文字（文字情報）に変換する音声認識部１０７とを備える。
【００１３】
上記カメラ処理部１０１は、被写体を撮像して画像データを出力する撮像部、デジタルカメラの各部の制御を行う制御部、画像データに対して各種画像処理を施す画像処理部、シャッターキー等の各種操作ボタンを有し制御部に動作指示を与えるための操作部等を備える。
【００１４】
図２は、記憶部１０２に格納される管理ファイルのフォーマットの一例を示す図である。管理ファイルは、画像データファイル、添付データファイル（手書きデータファイル、音声変換文字データファイル、文字データファイル）、及び音声データファイルを管理するためのものであり、画像データ毎に作成される。管理ファイルは、同図に示す如く、撮影した画像データファイルのファイル名を示す画像データファイル名２０１と、撮影した画像データに対応する添付データファイル（手書きデータファイル、音声変換文字データファイル、文字データファイル）のファイル名を示す添付データファイル名２０２と、撮影した画像データに対応する音声データファイルのファイル名を示す音声データファイル名２０３を対応づけて格納する。
【００１５】
つぎに、上記構成のデジタルカメラの動作例を、［動作例１］〜［動作例３］の順に説明する。
【００１６】
［動作例１］
動作例１を図３〜図７を参照して説明する。図３は、デジタルカメラの動作例１を説明するためのフローチャート、図４、図５および図７は表示部１０３の表示例、図６は印刷例を示す。
【００１７】
図３において、まず、カメラ処理部１０１は、操作部のシャッターが押下されると（ステップＳ１００）、被写体を撮像して画像データを取り込み（ステップＳ１０１）、取り込んだ画像データを表示部１０３に表示する（ステップＳ１０２）。図４は、取り込んだ画像の表示部１０３の表示例を示している。
【００１８】
そして、カメラ処理部１０１は、手書き入力部１０４から手書き文字が入力されると（ステップＳ１０３）、入力される手書き文字を、表示部１０３に表示される画像に重ねて表示する（ステップＳ１０４）。図５は、画像と手書き文字を重ねて表示した場合の表示部１０３の表示例を示している。同図においてＰは撮影画像を示している。そして、カメラ処理部１０１は、操作部の「ＳＡＶＥ」ボタンが押下されたか否かを判断し（ステップＳ１０５）、「ＳＡＶＥ」ボタンが押下されていない場合にはステップＳ１０７に移行する一方、「ＳＡＶＥ」ボタンが押下されている場合には、記憶部１３に撮影した画像データと手書き文字を、それぞれ画像データファイル、添付データファイルとして格納する。その際、管理ファイルに、画像データファイル名と添付データファイル名を格納する（ステップＳ１０６）。
【００１９】
ステップＳ１０７では、カメラ処理部１０１は、操作部の「印刷」ボタンが押下されたか否かを判断し、「印刷」ボタンが押下されていない場合には、ステップＳ１０９に移行する一方、「印刷」ボタンが押下された場合には、表示部１１３に表示されている撮影画像Ｐと手書き文字とを分離して、プリンタ（不図示）に送出する（ステップＳ１０８）。これに応じて、プリンタは、送出されてくる撮影画像と手書き文字を分離して印刷する。図６はプリンタの出力例を示す。同図においてＰは撮影画像を示している。
【００２０】
ステップＳ１０９では、カメラ処理部１０１は、操作部で「分離表示」ボタンが押下されたか否かを判断し、「分離表示」ボタンが押下されていない場合にはステップＳ１１１に移行する一方、「分離表示」ボタンが押下された場合には、カメラ処理部１０１は、撮影画像Ｐと手書き文字とを分離して、表示部１１３に表示する（ステップＳ１１０）。図７は、分離表示した場合の表示例を示す図である。同図において、Ｐは撮影画像を示している。そして、カメラ処理部１０１は、操作部でモードクリアボタンが押下されたか否かを判断し（ステップＳ１１１）、モードクリアボタンが押下された場合には当該フローを終了する一方、モードクリアボタンが押下されていない場合には、ステップＳ１０５に戻る。
【００２１】
上記動作例１によれば、表示部に撮影した画像に手書き文字が重ねて表示されている場合においても、画像と手書き文字を分離してプリンタに送出し、プリンタは、これに応じて画像と手書き文字を分離して印刷することとしたので、画像に手書き文字が重ねて表示されている場合においても見やすい印刷を行うことが可能となる。
【００２２】
また、上記動作例１によれば、表示部に撮影した画像に手書き文字が重ねて表示されている場合においても、操作者の指示に応じて、画像と手書き文字を分離して表示することとしたので、画像に手書き文字が重ねて表示されている場合においても見やすい表示を行うことが可能となる。
【００２３】
［動作例２］
動作例２を図８〜図１１を参照して説明する。図８はデジタルカメラの動作を説明するためのフローチャート、図９及び図１１は表示部の表示例、図１０は印刷例を示す。
【００２４】
図８において、まず、カメラ処理部１０１は、操作部のシャッターが押下されると（ステップＳ２００）、被写体を撮像して画像データを取り込み（ステップＳ２０１）、取り込んだ画像データを表示部１０３に表示する（ステップＳ２０２）。図４は、取り込んだ画像の表示部１０３の表示例を示している。
【００２５】
そして、音声認識部１０７は、音声入力部１０６から音声データが入力されると（ステップＳ２０３）、その音声データの内容を示す音声変換文字（文字情報）に変換する（ステップＳ２０４）。カメラ処理部１０１は、表示部１０３に表示される画像に、変換された音声変換文字（文字情報）を重ねて表示する（ステップＳ２０５）。図９は画像と音声変換文字（文字情報）を重ねて表示した場合の表示部１０３の表示例を示している。そして、カメラ処理部１０１は、操作部の「ＳＡＶＥ」ボタンが押下されたか否かを判断し（ステップＳ２０６）、「ＳＡＶＥ」ボタンが押下されていない場合にはステップＳ２０８に移行する一方、「ＳＡＶＥ」ボタンが押下されている場合には、記憶部１０２に撮影した画像データと、入力される音声データが変換された音声変換文字（文字情報）と、入力される音声データとを、それぞれ画像データファイル、添付データファイル、音声データファイルとして格納する（ステップＳ２０７）。その際、管理ファイルに、画像データファイル名、添付データファイル名、および音声データファイル名を対応づけて格納する。
【００２６】
ステップＳ２０８では、カメラ処理部１０１は、操作部の「印刷」ボタンが押下されたか否かを判断し、「印刷」ボタンが押下されていない場合には、ステップＳ２１０に移行する一方、「印刷」ボタンが押下された場合には、表示部１１３に表示されている撮影画像と音声変換文字（文字情報）とを分離して、プリンタ（不図示）に送出する（ステップＳ２０９）。これに応じて、プリンタは、送出されてくる撮影画像と音声変換文字（文字情報）を分離して印刷する。図１０はプリンタの出力例を示す。同図においてＰは撮影画像を示している。
【００２７】
ステップＳ２１０では、カメラ処理部１０１は、操作部で「分離表示」ボタンが押下されたか否かを判断し、「分離表示」ボタンが押下されていない場合にはステップＳ２１２に移行する一方、「分離表示」ボタンが押下された場合には、撮影画像と音声変換文字（文字情報）とを分離して、表示部１１３に表示する（ステップ２１１）。図１１は、分離表示した場合の表示例を示す図である。同図においてＰは撮影画像を示している。そして、カメラ処理部１０１は、操作部でモードクリアボタンが押下されたか否かを判断し（ステップＳ２１２）、モードクリアボタンが押下された場合には当該フローを終了する一方、モードクリアボタンが押下されていない場合には、ステップＳ２０６に戻る。
【００２８】
上記動作例２によれば、撮影した画像に音声変換文字（文字情報）が重ねて表示部１１３に表示されている場合においても、画像と音声変換文字（文字情報）を分離してプリンタに送出し、プリンタは、これに応じて画像と音声変換文字（文字情報）を分離して印刷することとしたので、画像に音声変換文字（文字情報）が重ねて表示されている場合においても見やすい印刷を行うことが可能となる。
【００２９】
また、上記動作例２によれば、撮影した画像に音声変換文字（文字情報）を重ねて表示部１１３に表示した場合においても、画像と音声変換文字（文字情報）を分離して表示することとしたので、画像に音声変換文字（文字情報）が重ねて表示されている場合においても見やすい印刷を行うことが可能となる。
【００３０】
［動作例３］
動作例３を図１２を参照して説明する。図１２はデジタルカメラの動作を説明するためのフローチャートを示す。
【００３１】
図１２において、まず、カメラ処理部１０１は、操作部のシャッターが押下されると（ステップＳ３００）、被写体を撮像して画像データを取り込み（ステップＳ３０１）、取り込んだ画像データを表示部１０３に表示する（ステップＳ３０２）。図４は、取り込んだ画像の表示部１０３の表示例を示している。
【００３２】
そして、カメラ処理部１０１は、文字入力部１０２から文字情報が入力されると（ステップＳ３０３）、表示部１０３に表示されている画像に入力される文字情報を重ねて表示する（ステップＳ３０４）。図９は画像と文字情報を重ねて表示した場合の表示部１０３の表示例を示している。そして、カメラ処理部１０１は、操作部の「ＳＡＶＥ」ボタンが押下されたか否かを判断し（ステップＳ３０５）、「ＳＡＶＥ」ボタンが押下されていない場合にはステップＳ３０７に移行する一方、「ＳＡＶＥ」ボタンが押下されている場合には、記憶部１０２に撮影した画像データと、入力される文字情報を、それぞれ画像データファイル、添付データファイルとして格納する（ステップＳ３０６）。その際、管理ファイルに、画像データファイル名と、添付データファイル名を対応づけて格納する。
【００３３】
ステップＳ３０７では、カメラ処理部１０１は、操作部の「印刷」ボタンが押下されたか否かを判断し、「印刷」ボタンが押下されていない場合には、ステップＳ３０９に移行する一方、「印刷」ボタンが押下された場合には、表示部１１３に表示されている撮影画像と文字情報とを分離して、プリンタ（不図示）に送出する（ステップＳ３０８）。これに応じて、プリンタは、送出されてくる撮影画像と文字情報を分離して印刷する。図１０はプリンタの出力例を示す。
【００３４】
ステップＳ３０９では、カメラ処理部１０１は、操作部で「分離表示」ボタンが押下されたか否かを判断し、分離表示ボタンが押下されていない場合にはステップＳ３１１に移行する一方、分離表示ボタンが押下された場合には、撮影画像と文字情報とを分離して、表示部１１３に表示する（ステップ３１０）。図１１は、分離表示した場合の表示例を示す図である。そして、カメラ処理部１０１は、操作部でモードクリアボタンが押下されたか否かを判断し（ステップＳ３１１）、モードクリアボタンが押下された場合には当該フローを終了する一方、モードクリアボタンが押下されていない場合には、ステップＳ３０５に戻る。
【００３５】
上記動作例３によれば、撮影した画像に文字情報が表示部１１３に重ねて表示されている場合においても、画像と文字情報を分離してプリンタに送出し、プリンタは、これに応じて画像と文字情報を分離して印刷することとしたので、画像に文字情報が重ねて表示されている場合においても見やすい印刷を行うことが可能となる。
【００３６】
また、上記動作例３によれば、撮影した画像に文字情報が表示部１１３に重ねて表示されている場合においても、画像と文字情報を分離して表示することとしたので、画像に文字情報が重ねて表示されている場合においても見やすい表示を行うことが可能となる。
【００３７】
なお、本発明は上記した実施の形態に限定されるものではなく、発明の要旨を変更しない範囲で適宜変形して実行可能である。
【００３８】
【発明の効果】
以上説明したように、本発明によれば、印刷する場合に、表示手段に重ねて表示されている画像データと手書き文字を分離してプリンタに出力することとしたので、画像に手書き文字が重ねて表示されている場合においても見やすい印刷を行うことが可能となる。
【００３９】
また、本発明によれば、表示手段に重ねて表示されている画像データと手書き文字を分離して表示することとしたので、画像に手書き文字が重ねて表示されている場合においても見やすい表示を行うことが可能となる。
【００４０】
また、本発明によれば、表示手段に重ねて表示されている画像データと音声データが変換された文字情報とを分離してプリンタに送出することとしたので、画像に文字情報が重ねて表示されている場合においても見やすい印刷を行うことが可能となる。
【００４１】
また、本発明によれば、表示手段に重ねて表示されている画像データと音声データが変換された文字情報とを分離して表示することとしたので、画像データに文字情報が重ねて表示されている場合においても見やすい表示を行うことが可能となる。
【００４２】
また、本発明によれば、印刷する場合に、表示手段に重ねて表示されている画像データと文字情報を分離してプリンタに送出することとしたので、画像に文字情報が重ねて表示されている場合においても見やすい印刷を行うことが可能となる。
【００４３】
また、本発明によれば、表示手段に重ねて表示されている画像データと文字情報を分離して表示することとしたので、画像に文字情報が重ねて表示されている場合においても見やすい表示を行うことが可能となる。
【図面の簡単な説明】
【図１】この発明に係るデジタルカメラの一実施の形態を示すブロック図である。
【図２】記憶部に格納される管理ファイルのフォーマットの一例を示す図である。
【図３】デジタルカメラの動作例１を説明するためのフローチャートである。
【図４】表示部の表示例を示す図である。
【図５】表示部の表示例を示す図である。
【図６】プリンタの印刷例を示す図である。
【図７】表示部の表示例を示す図である。
【図８】デジタルカメラの動作例２を説明するためのフローチャートである。
【図９】表示部の表示例を示す図である。
【図１０】プリンタの印刷例を示す図である。
【図１１】表示部の表示例を示す図である。
【図１２】デジタルカメラの動作例３を説明するためのフローチャートである。
【符号の説明】
１００    デジタルカメラ
１０１    カメラ処理部
１０２    記憶部
１０３    表示部
１０４    手書き入力部
１０５    文字入力部
１０６    音声入力部
１０７    音声認識部
【図１】
0004044240.tif 000002
【図２】
0004044240.tif 000003
【図３】
0004044240.tif 000004
【図４】
0004044240.tif 000005
【図５】
0004044240.tif 000006
【図６】
0004044240.tif 000007
【図７】
0004044240.tif 000008
【図８】
0004044240.tif 000009
【図９】
0004044240.tif 000010
【図１０】
0004044240.tif 000011
【図１１】
0004044240.tif 000012
【図１２】
0004044240.tif 000013